(57)【特許請求の範囲】
【請求項１】
印画紙ロールから引き出した印画紙に印刷を行うプリンタであって、
前記印画紙を切断する切断機構と、
前記切断機構による切断によって前記印画紙から切り離された切断屑を収納する切断屑収納箱と、
前記印画紙ロールを収納する印画ユニットと、
を備え、
前記印画ユニットをプリンタ本体から引き出すことにより前記印画紙ロールの交換が可能であり、
前記切断屑収納箱は前記プリンタ本体から着脱可能であり、
前記切断屑収納箱を前記プリンタ本体から取り外した状態において前記印画ユニットの前記プリンタ本体からの引き出しが可能となり、
前記切断屑収納箱は、
前記切断屑収納箱の前記プリンタ本体への装着を妨げる装着規制機構と、
前記切断屑収納箱の内部に配置され、前記装着規制機構を解除する規制解除機構と、
前記切断屑を前記切断屑収納箱の外部に排出するための開閉可能な排出口と、
を備え、
装着規制機構は、前記切断屑収納箱を前記プリンタ本体から取り外した時に働き、
前記排出口が閉じた状態においては、前記規制解除機構の操作が不可能であり、
前記排出口が開くことにより、前記規制解除機構の操作が可能となる、
プリンタ。
【請求項２】
前記切断屑収納箱を前記プリンタ本体から取り外した時に初めて前記装着規制機構が働く、
請求項１に記載のプリンタ。
【請求項３】
前記切断屑収納箱を前記プリンタ本体に装着した時に、前記規制解除機構による前記装着規制機構の解除が解かれ、前記切断屑収納箱を前記プリンタ本体から取り外した時に初めて前記装着規制機構が働くことが可能な状態となる、
請求項２に記載のプリンタ。
【請求項４】
前記印画ユニットはボタンを備え、
前記ボタンに対する操作に応じて前記印画ユニットの前記プリンタ本体からの引き出しが可能となり、
前記切断屑収納箱が前記プリンタ本体に装着された状態において前記ボタンは前記切断屑収納箱により覆われ、
前記切断屑収納箱を前記プリンタ本体から取り外した状態において前記ボタンの操作が可能となる、
請求項１から請求項３のいずれか一項に記載のプリンタ。
【請求項５】
前記装着規制機構は、
突起部材と、
弾性部材と、
移動規制部材と、
を備え、
前記規制解除機構は、移動規制部材保持部材を備え、
前記切断屑収納箱が前記プリンタ本体に装着された状態において、前記突起部材は前記弾性部材により押されて前記プリンタ本体又は前記印画ユニットに押圧されており、
前記切断屑収納箱が前記プリンタ本体から取り外された状態において、前記突起部材が前記弾性部材により押されて突出し、
前記突起部材は突出した状態において前記移動規制部材により移動を規制され、
突出した状態で移動を規制された前記突起部材は、前記切断屑収納箱の前記プリンタ本体への装着を妨げ、
前記規制解除機構に対する操作に応じて、前記移動規制部材保持部材が前記移動規制部材を前記突起部材の移動を規制しない位置に移動させることにより、前記装着規制機構の規制を解除する、
請求項１から請求項４のいずれか一項に記載のプリンタ。
【請求項６】
前記切断屑収納箱は、前記排出口を覆う開閉部材をさらに備え、
前記排出口に対して前記開閉部材を着脱することで、前記排出口が開閉する、
請求項１から請求項５のいずれか一項に記載のプリンタ。
【請求項７】
前記切断屑収納箱の前記排出口から前記開閉部材を取り外した状態において、前記規制解除機構が操作可能な状態となる、
請求項６に記載のプリンタ。
【発明の詳細な説明】
【技術分野】
【０００１】
本発明はプリンタに関し、特に印画紙ロールから引き出した印画紙に印刷を行うプリンタに関する。
【背景技術】
【０００２】
印画紙ロールから引き出した印画紙に印刷を行い、印画紙を所定のサイズに切断して排出するプリンタが知られている。例えば、写真の印刷に好適な昇華型のプリンタにおいては、印画紙ロールが用いられている。写真の印刷後に、銀塩写真で言うＬサイズ、ＰＣサイズ等の所定サイズに印画紙が切断されて排出される。
【０００３】
このようなプリンタでは、連続して印刷される写真の端と端が重なって印刷されることを防止するために、各写真間に数ｍｍ程度の余白を設けて印刷した後、余白部分を切断して印刷物を排出する。この余白部分の切断により切断屑（切断片とも呼ばれる）が発生する。切断屑がプリンタ内部に散乱することを防止するために、切断屑はプリンタ内部に設けられた収納箱に落下して収納される。収納箱に堆積した切断屑は、使用者によって適宜収納箱から外部に排出される。
【０００４】
収納箱に堆積した切断屑が収納許容量を上回ると、プリンタ内部に切断屑が溢れて、印画紙が詰まるなど、不具合の原因となる。
【０００５】
例えば、特許文献１に記載されているように、従来のプリンタにおいては、切断屑の捨て忘れを防止するため、印画紙ロールを交換する際に収納箱も同時に開くことにより、使用者に切断屑の排出を促す機構を備えていた。
【先行技術文献】
【特許文献】
【０００６】
【特許文献１】特開２００３−１８２１７２号公報
【発明の概要】
【発明が解決しようとする課題】
【０００７】
しかしながら、特許文献１においては、切断屑を捨てなくても印画紙ロールの交換が可能な構造であった。切断屑を捨てずに使用プリンタの使用を続けると、切断屑が収容箱から溢れて、印画紙の詰まりなど、プリンタの故障を引き起こす。
【０００８】
本発明は以上のような課題を解決するためになされたものであり、切断屑が切断屑の収納箱から溢れることをより確実に抑制するプリンタの提供を目的とする。
【課題を解決するための手段】
【０００９】
本発明に係るプリンタは、印画紙ロールから引き出した印画紙に印刷を行うプリンタであって、印画紙を切断する切断機構と、切断機構による切断によって印画紙から切り離された切断屑を収納する切断屑収納箱と、印画紙ロールを収納する印画ユニットと、を備え、印画ユニットをプリンタ本体から引き出すことにより前記印画紙ロールの交換が可能であり、切断屑収納箱はプリンタ本体から着脱可能であり、切断屑収納箱をプリンタ本体から取り外した状態において印画ユニットのプリンタ本体からの引き出しが可能となり、切断屑収納箱は、切断屑収納箱のプリンタ本体への装着を妨げる装着規制機構と、切断屑収納箱の内部に配置され、装着規制機構を解除する規制解除機構と、切断屑を切断屑収納箱の外部に排出するための開閉可能な排出口と、を備え、装着規制機構は、切断屑収納箱をプリンタ本体から取り外した時に働き、排出口が閉じた状態においては、規制解除機構の操作が不可能であり、排出口が開くことにより、規制解除機構の操作が可能となる。
【発明の効果】
【００１０】
本発明に係るプリンタは、印画紙ロールを交換する際に、切断屑収納箱に堆積している切断屑を外部に排出する排出口を開くことを使用者に対して強制することができる。切断屑が確実に外部に排出されることにより、切断屑収納箱から切断屑が溢れて、紙詰まりが発生することを抑制可能である。よって、紙詰まりなどによるプリンタの故障を効果的に抑制することが可能である。
【図面の簡単な説明】
【００１１】
【図１】本発明の実施形態に係るプリンタの斜視図である。
【図２】本発明の実施形態に係るプリンタの断面図である。
【図３】本発明の実施形態に係るプリンタの切断屑収納箱の装着規制機構および規制解除機構の断面図である。
【図４】本発明の実施形態に係るプリンタの切断屑収納箱を取り外した状態における斜視図である。
【図５】本発明の実施形態に係るプリンタの印画ユニットを引き出した状態における斜視図である。
【図６】本発明の実施形態に係るプリンタの切断屑収納箱の斜視図である。
【図７】本発明の実施形態に係るプリンタの切断屑収納箱の装着規制機構および規制解除機構の斜視図である。
【図８】本発明の実施形態に係るプリンタの切断屑収納箱の装着規制機構が働いている状態における断面図である。
【図９】本発明の実施形態に係るプリンタの切断屑収納箱の装着規制機構が解除された状態における断面図である。
【図１０】本発明の実施形態に係るプリンタの印画紙ロールの交換および切断屑の排出の手順を示すフローチャートである。
【発明を実施するための形態】
【００１２】
＜構成＞
図１は、本発明の実施形態におけるプリンタ１００の斜視図である。図２は、プリンタ１００の断面図である。図３は、プリンタ１００の切断屑収納箱３の装着規制機構３ａおよび規制解除機構３ｂの断面図である。図３は、図２中の領域Ａを拡大した図である。
【００１３】
また、図４は、切断屑収納箱３を取り外した状態におけるプリンタ１００の斜視図である。図５は、印画ユニット５を引き出した状態におけるプリンタ１００の斜視図である。
【００１４】
また、図６は、切断屑収納箱３の斜視図である。図７は、切断屑収納箱３の装着規制機構３ａおよび規制解除機構３ｂの斜視図である。
【００１５】
また、図８は、装着規制機構３ａが働いている状態における切断屑収納箱３の断面図である。図９は、装着規制機構３ａが解除された状態における切断屑収納箱３の断面図である。
【００１６】
本発明の実施形態におけるプリンタ１００は、印画紙ロール２から引き出した印画紙に印刷を行う昇華型のプリンタである。図１および図２に示すように、プリンタ１００は、切断機構８と、切断屑収納箱３と、印画ユニット５とを備える。切断機構８とは、印画紙ロール２から引き出された印画紙を切断する。切断機構８は、印刷が行われた印画紙に対して印画紙の幅方向に切断を行う。切断機構８による切断によって切断屑が発生する。例えば、切断機構８は、カッターとカッターを用紙幅方向に移動させるスライド機構を備える。
【００１７】
切断屑収納箱３は、切断機構８による切断によって印画紙から切り離された切断屑を収納する。切断屑は切断屑収納箱３内部の収納空間４１に堆積する。
【００１８】
印画ユニット５は、印画紙ロール２を収納する。また、印画ユニットは印画紙ロール２から印画紙を引き出して印刷を行う印刷機構を備える。印刷機構は、インクシートを巻き出す巻出しボビン７１と、巻出しボビンから巻き出されたインクシートを巻き取る巻き取りボビン７２を備える。また、印刷機構は、プラテンローラとの間で印画紙にインクシートを密着させて加熱するサーマルヘッド６を備える。
【００１９】
なお、図２において、印画紙ロール２を保持する機構の図示を省略している。また、図２において、印画ユニット５をプリンタ本体１から引き出す機構の図示を省略している。
【００２０】
印画ユニット５において印刷が行われた印画紙は、切断機構８において印画紙ロール２から切り離された後、排紙口５２からプリンタ１００の外部へ排出される。
【００２１】
図４に示す印画ユニット５前面に設けられたボタン５１を押すことにより、印画ユニット５をプリンタ本体１から引き出すことが可能である。図５に示すように印画ユニット５を引き出すことにより、印画紙ロール２の交換が可能である。
【００２２】
切断屑収納箱３はプリンタ本体１から着脱可能である。図１に示すように、切断屑収納箱３がプリンタ本体１に装着された状態において、印画ユニット５のボタン５１は、切断屑収納箱３のボタン操作規制部材３１に覆われている。従って、切断屑収納箱３をプリンタ本体１に装着した状態（図１）においては、印画ユニット５のボタン５１を操作することができない。つまり、切断屑収納箱３をプリンタ本体１から取り外した状態（図４の状態）においてのみ、ボタン５１を操作して、印画ユニット５のプリンタ本体１からの引き出しが可能となる。
【００２３】
＜切断屑収納箱＞
図３に示すように、切断屑収納箱３は、装着規制機構３ａと、規制解除機構３ｂと、排出口４０とを備える。装着規制機構３ａは、切断屑収納箱３のプリンタ本体１への装着を妨げる。規制解除機構３ｂは、切断屑収納箱３の内部に配置される。規制解除機構３ｂは、装着規制機構３ａによる規制を解除する。
【００２４】
図３に示すように、排出口４０は、切断屑収納箱３の収納空間４１に堆積した切断屑を外部に排出するための開閉可能な開口である。排出口４０には、排出口４０に対して着脱可能な開閉部材３８が装着されている。排出口４０付近には、係止形状３９が設けられている。この係止形状３９に開閉部材３８が係止されることにより、排出口４０に対して開閉部材３８が装着されている。
【００２５】
装着規制機構３ａは、切断屑収納箱３をプリンタ本体１から取り外した時に働く。また、排出口４０が閉じた状態、即ち、排出口４０に開閉部材３８が装着された状態においては、規制解除機構３ｂの操作が不可能である。排出口４０が開く、即ち、排出口４０から開閉部材３８が取り外されることにより、規制解除機構３ｂの操作が可能となる。
【００２６】
装着規制機構３ａの構造について説明する。図３に示すように、装着規制機構３ａは、突起部材３２と、弾性部材３３と、移動規制部材３４とを備える。
【００２７】
図３に示すように、切断屑収納箱３がプリンタ本体１に装着された状態において、突起部材３２は弾性部材３３により押されて印画ユニット５の壁形状５４に押圧されている。壁形状５４に押圧されている突起部材３２は、切断屑収納箱３の内側に向けて押し込まれた状態である。ここで、弾性部材３３とは例えばバネである。
【００２８】
また、切断屑収納箱３がプリンタ本体１に装着された状態において、移動規制部材３４は弾性部材３５により押されて突起部材３２の上面に押圧されている。ここで、弾性部材３５とは例えばバネである。
【００２９】
図３に示すように、規制解除機構３ｂは、移動規制部材保持部材３６を備える。移動規制部材保持部材３６は、ｚ軸方向に沿って摺動可能である。また、移動規制部材保持部材３６は、ｘ軸方向においても移動規制部材３４の厚み分だけ動くことができる。切断屑収納箱３がプリンタ本体１に装着された状態において、移動規制部材保持部材３６は、切断屑収納箱３の筐体に設けられた貫通孔３７を通して、印画ユニット５の前面に設けられた突起形状５３に押されて−ｘ軸方向に移動している。
【００３０】
図７、図８のそれぞれは、プリンタ本体１から取り外され、装着規制機構３ａが働いている状態における切断屑収納箱３の斜視図と断面図である。なお、図７は、図６中の領域Ｂの内部構造の拡大図である。図７において、図の見易さのために、装着規制機構３ａおよび規制解除機構３ｂのみを図示している。
【００３１】
図７および図８に示すように、切断屑収納箱３をプリンタ本体１から取り外すと、突起部材３２が弾性部材３３によりｘ軸方向に押されて、切断屑収納箱３の外側に突出した状態となる。そして、突起部材３２が突出する方向に移動すると、突起部材３２の上面に押し付けられていた移動規制部材３４が突起部材３２の背後（突起部材３２の−ｘ軸方向側）に移動する。これにより、突起部材３２は移動規制部材３４により−ｘ軸方向への移動を規制される。つまり、突出した突起部材３２は、切断屑収納箱３の内側に向けて移動することができない状態となる。このような状態では、突起部材３２が突出しているため、切断屑収納箱３をプリンタ本体１に装着することができない。
【００３２】
図９は、装着規制機構３ａが解除された状態における切断屑収納箱３の断面図である。切断屑収納箱３から開閉部材３８を取り外すと、排出口４０が開いた状態となる。この状態において、切断屑収納箱３内部の収納空間４１に堆積した切断屑を排出口４０から外部に排出することができる。排出口４０が開いた状態（即ち、排出口４０から開閉部材３８が取り外された状態）において、規制解除機構３ｂの操作（即ち、移動規制部材保持部材３６の操作）が可能となる。
【００３３】
図８の状態において、移動規制部材保持部材３６を−ｚ方向に移動させて、移動規制部材保持部材３６の先端のＬ字形状部分で移動規制部材３４を保持する。ここで、Ｌ字形状部分の形状はこれに限られず、爪形状など、移動規制部材３４を保持する形状であればよい。そして、移動規制部材３４を保持した状態で移動規制部材保持部材３６をｚ方向に移動させて、移動規制部材３４を固定することにより、図９の状態となる。この移動規制部材保持部材３６に対する操作により、突起部材３２の背後から移動規制部材３４が取り除かれるため、突起部材３２が切断屑収納箱３の内側に向けて（即ち−ｘ軸方向に向けて）移動することが可能な状態となる。装着規制機構３ａが解除された図９の状態において、突起部材３２は切断屑収納箱３の内側に向けて移動可能となり、切断屑収納箱３をプリンタ本体１に装着することができる。
【００３４】
切断屑収納箱３をプリンタ本体１に装着すると、移動規制部材保持部材３６は、切断屑収納箱３の筐体に設けられた貫通孔３７を通して、印画ユニット５の前面に設けられた突起形状５３に押されて−ｘ軸方向に移動する。すると、移動規制部材保持部材３６が移動規制部材３４から離れて、装着規制機構３ａの解除が解かれる。そして、移動規制部材３４は弾性部材３５により押されて突起部材３２の上面に押圧された状態（図３の状態）となる。
【００３５】
＜印画紙ロールの交換および切断屑の排出＞
図１０は、本発明の実施形態におけるプリンタ１００における、印画紙ロール２の交換および切断屑の処分の手順を示すフローチャートである。
【００３６】
まず、使用者は、切断屑収納箱３をプリンタ本体１から取り外す（ステップＳ１）。このときプリンタ１００は図４に示す状態となる。切断屑収納箱３を取り外すことにより、印画ユニット５のボタン５１が操作可能となる。
【００３７】
次に、使用者は印画ユニット５のボタン５１を操作して、印画ユニット５をプリンタ本体１から引き出す（ステップＳ２）。このときプリンタ１００は図５に示す状態となる。印画ユニット５を引き出すことにより、印画紙ロール２の交換が可能となる（ステップＳ３）。印画紙ロール２を交換した後、印画ユニット５はプリンタ本体１に押し入れられる（ステップＳ４）。
【００３８】
プリンタ本体１から取り外した切断屑収納箱３からは突起部材３２が突出して移動を規制されている（図８）。図８に示す状態においては、突起部材３２が、切断屑収納箱３のプリンタ本体１への装着を妨げている。
【００３９】
使用者は、切断屑収納箱３から開閉部材３８を取り外して、切断屑を捨てる（ステップＳ５）。つまり、図９に示すように、切断屑収納箱３から開閉部材３８を取り外すことにより、切断屑収納箱３の排出口４０が開いた状態となり、切断屑収納箱３の収納空間４１に堆積していた切断屑が排出口４０から外部に排出される。
【００４０】
次に、使用者は、切断屑収納箱３の規制解除機構３ｂを操作する（ステップＳ６）。規制解除機構３ｂは切断屑収納箱３の内部に配置されているため、切断屑収納箱３の排出口４０が開いた状態おいてのみ規制解除機構３ｂの操作が可能である。使用者が、切断屑収納箱３から開閉部材３８を取り外した状態において、規制解除機構３ｂに備わる移動規制部材保持部材３６に対して操作を行い、移動規制部材３４が、突起部材３２の移動を規制しない位置に移動する。この結果、装着規制機構３ａによる規制が解除される。つまり、移動規制部材３４が突起部材の移動を規制している状態（図８）から、移動規制部材３４が突起部材の移動を規制していない状態（図９）へと変化する。
【００４１】
規制解除機構３ｂを操作して装着規制機構３ａによる規制を解除した後、使用者は、切断屑収納箱３に開閉部材３８を装着する（ステップＳ７）。そして、使用者は、切断屑収納箱３をプリンタ本体１に装着する（ステップＳ８）。このとき、装着規制機構３ａによる規制が解除されているため、突起部材３２は切断屑収納箱３の内側に向けて移動が可能となっている。つまり、突起部材３２は、切断屑収納箱３のプリンタ本体１への装着を妨げない。
【００４２】
＜効果＞
本発明の実施形態におけるプリンタ１００は、印画紙ロール２から引き出した印画紙に印刷を行うプリンタ１００であって、印画紙を切断する切断機構８と、切断機構８による切断によって印画紙から切り離された切断屑を収納する切断屑収納箱３と、印画紙ロール２を収納する印画ユニット５と、を備え、印画ユニット５をプリンタ本体１から引き出すことにより印画紙ロール２の交換が可能であり、切断屑収納箱３はプリンタ本体１から着脱可能であり、切断屑収納箱３をプリンタ本体１から取り外した状態において印画ユニット５のプリンタ本体１からの引き出しが可能となり、切断屑収納箱３は、切断屑収納箱３のプリンタ本体１への装着を妨げる装着規制機構３ａと、切断屑収納箱３の内部に配置され、装着規制機構３ａを解除する規制解除機構３ｂと、切断屑を切断屑収納箱３の外部に排出するための開閉可能な排出口４０と、を備え、装着規制機構３ａは、切断屑収納箱３をプリンタ本体１から取り外した時に働き、排出口４０が閉じた状態においては、規制解除機構３ｂの操作が不可能であり、排出口４０が開くことにより、規制解除機構３ｂの操作が可能となる。
【００４３】
本実施形態におけるプリンタ１００においては、印画紙ロール２の交換を行う際に、使用者は切断屑収納箱３をプリンタ本体１から取り外す必要がある。さらに、切断屑収納箱３をプリンタ本体１から取り外すと、装着規制機構３ａを解除しないと切断屑収納箱３をプリンタ本体１に装着することができない。装着規制機構３ａを解除するためには、切断屑収納箱３の排出口４０を開けて、規制解除機構３ｂを操作する必要がある。排出口４０が開くと、切断屑収納箱３の収納空間４１に堆積した切断屑が外部に排出される。つまり、印画紙ロール２の交換を行う際に、切断屑収納箱３に堆積した切断屑が必ず外部に排出される。
【００４４】
本実施形態におけるプリンタ１００は、印画紙ロール２を交換する際に、切断屑収納箱３に堆積している切断屑を外部に排出することを使用者に対して強制することができる。切断屑が確実に外部に排出されることにより、切断屑収納箱３から切断屑が溢れて、紙詰まりが発生することを抑制可能である。よって、紙詰まりなどによるプリンタ１００の故障を効果的に抑制することが可能である。
【００４５】
また、本発明の実施形態におけるプリンタ１００において、切断屑収納箱３をプリンタ本体１から取り外した時に装着規制機構３ａが働く。
【００４６】
従って、切断屑収納箱３をプリンタ本体１から取り外した時に初めて装着規制機構３ａが働くことにより、プリンタ本体１から取り外した切断屑収納箱３をプリンタ本体１に再び装着することを規制することが可能となる。
【００４７】
また、本発明の実施形態におけるプリンタ１００において、切断屑収納箱３をプリンタ本体１に装着した時に、規制解除機構３ｂによる装着規制機構３ａの解除が解かれ、切断屑収納箱３をプリンタ本体１から取り外した時に初めて装着規制機構３ａが働くことが可能な状態となる。
【００４８】
従って、切断屑収納箱３をプリンタ本体１に装着してから、切断屑収納箱３をプリンタ本体１から取り外すまでの間に規制解除機構３ｂによる装着規制機構３ａの解除を解くことにより、次に切断屑収納箱３をプリンタ本体１から取り外した時に装着規制機構３ａを確実に働かせることが可能となる。
【００４９】
また、本発明の実施形態におけるプリンタ１００において、印画ユニット５はボタン５１を備え、ボタン５１に対する操作に応じて印画ユニット５のプリンタ本体１からの引き出しが可能となり、切断屑収納箱３がプリンタ本体１に装着された状態においてボタン５１は切断屑収納箱３により覆われ、切断屑収納箱３をプリンタ本体１から取り外した状態においてボタン５１の操作が可能となる。
【００５０】
従って、印画ユニット５の引き出しに利用するボタン５１を切断屑収納箱３により覆うことにより、引き出して印画紙ロール２の交換を行う際に、切断屑収納箱３を必ず取り外すことを使用者に強制することが可能となる。
【００５１】
また、本発明の実施形態におけるプリンタ１００において、装着規制機構３ａは、突起部材３２と、弾性部材３３と、移動規制部材３４と、を備え、規制解除機構３ｂは移動規制部材保持部材３６を備え、切断屑収納箱３がプリンタ本体１に装着された状態において、突起部材３２は弾性部材３３により押されてプリンタ本体１又は印画ユニット５に押圧されており、切断屑収納箱３がプリンタ本体１から取り外された状態において、突起部材３２が弾性部材３３により押されて突出し、突起部材３２は突出した状態において移動規制部材３４により移動を規制され、突出した状態で移動を規制された突起部材３２は、切断屑収納箱３のプリンタ本体１への装着を妨げ、規制解除機構３ｂに対する操作に応じて、移動規制部材保持部材３６が移動規制部材３４を突起部材３２の移動を規制しない位置に移動させることにより、装着規制機構３ａの規制を解除する。
【００５２】
従って、上記の構成とすることにより、装着規制機構３ａおよび規制解除機構３ｂの機能を実現することが可能である。
【００５３】
また、本発明の実施形態におけるプリンタ１００において、切断屑収納箱３は、排出口４０を覆う開閉部材３８をさらに備え、排出口４０に対して開閉部材３８を着脱することで、排出口４０が開閉する。
【００５４】
従って、排出口４０に対して開閉部材３８を着脱可能な構成とすることにより、排出口４０の開閉を実現することが可能である。
【００５５】
また、本発明の実施形態におけるプリンタ１００において、切断屑収納箱３の排出口４０から開閉部材３８を取り外した状態において、規制解除機構３ｂが操作可能な状態となる。
【００５６】
従って、規制解除機構３ｂを操作するためには、排出口４０から開閉部材３８を取り外すことが必要なため、確実に切断屑を排出口４０から外部に排出することが可能である。
【００５７】
なお、本実施形態においては、プリンタ１００は昇華型のプリンタであるとして説明を行ったが、印画紙ロールから引き出した印画紙に印刷を行うプリンタであれば、印刷方式はこれに限定されない。なお、本発明は、その発明の範囲内において、実施の形態を適宜、変形、省略することが可能である。
【符号の説明】
【００５８】
１  プリンタ本体、５  印画ユニット、５１  ボタン、５２  排紙口、５３  突起形状、５４  壁形状、２  印画紙ロール、３  切断屑収納箱、３ａ  装着規制機構、３ｂ  規制解除機構、３１  ボタン操作規制部材、３２  突起部材、３３，３５  弾性部材、３４  移動規制部材、３６  移動規制部材保持部材、３７  貫通孔、３８  開閉部材、３９  係止形状、４０  排出口、４１  収納空間、６  サーマルヘッド、７１  巻出しボビン、７２  巻き取りボビン、８  切断機構、１００  プリンタ。
【図１】
0006611629.tif 000002
【図２】
0006611629.tif 000003
【図３】
0006611629.tif 000004
【図４】
0006611629.tif 000005
【図５】
0006611629.tif 000006
【図６】
0006611629.tif 000007
【図７】
0006611629.tif 000008
【図８】
0006611629.tif 000009
【図９】
0006611629.tif 000010
【図１０】
0006611629.tif 000011